(57)【特許請求の範囲】
【請求項１】
所定の項目の試験を自動的に行う自動試験または操作により所定の項目の試験を行う手動試験の機能を有する防災受信機において、自動試験または手動試験を行う毎に試験結果を記憶する記憶部と、該記憶部に記憶された複数回の試験結果を画面により表示する表示部とを有し、試験結果を前記表示部により表示する場合、前記表示部には、前記複数回の試験結果のそれぞれに異常の有無を合わせて表示する第１の表示画面と、該第１の表示画面で表示された複数回の試験結果のうち異常のある試験結果については、その異常内容の詳細表示をする第２の表示画面を表示可能とすることを特徴とする防災受信機。
【請求項２】
前記第２の表示画面には、試験結果の詳細が一覧表示されることを特徴とする請求項１に記載の防災受信機。
【請求項３】
前記第２の表示画面に試験項目に応じた第１の選択手段を設け、該第１の選択手段により選択された試験項目に該当する試験結果の詳細のみが一覧表示されることを特徴とする請求項１または２に記載の防災受信機。
【請求項４】
前記第１の表示画面または第２の表示画面に被試験対象に応じた第２の選択手段を設け、該第２の選択手段により選択された被試験対象に該当する試験結果の詳細履歴が一覧表示されることを特徴とする請求項１ないし３に記載の防災受信機。
【請求項５】
試験結果、試験結果の詳細、試験結果の詳細履歴が印字部により印字可能であることを特徴とする請求項１ないし４に記載の防災受信機。
【発明の詳細な説明】
【０００１】
【発明の属する技術分野】
本発明は自動試験または手動試験の機能を有する防災受信機における試験結果の表示に関する。
【０００２】
【従来の技術】
従来、所定の項目の試験を自動的に行う自動試験または操作により所定の項目の試験を行う手動試験の機能を有する防災受信機が知られている。
【０００３】
例えば、特開平11-96471号、特開平11-96480号には、自動試験または自己診断（手動試験）機能を有する火災受信機において、試験結果を表示装置により表示する点および印字装置により印字する点が記載されている。
【０００４】
【発明が解決しようとする課題】
従来の防災受信機では、試験終了後に試験結果を画面上に表示するか、又は印字出力として印字するだけであり、後日試験結果を参照する場合には印字出力を見るだけであった。万が一この印字出力を紛失した場合には参照することができなくなってしまう。
【０００５】
そこで本発明は、自動試験または手動試験の機能を有する防災受信機において、複数回の自動試験または手動試験の試験結果を容易に確認できるようにする。
【０００６】
【課題を解決するための手段】
請求項１記載の発明は、所定の項目の試験を自動的に行う自動試験または操作により所定の項目の試験を行う手動試験の機能を有する防災受信機において、自動試験または手動試験を行う毎に試験結果を記憶する記憶部と、該記憶部に記憶された複数回の試験結果を画面により表示する表示部とを有し、試験結果を表示する場合、表示部には、前記複数回の試験結果のそれぞれに異常の有無を合わせて表示する第１の表示画面と、該第１の表示画面で表示された複数回の試験結果のうち異常のある試験結果については、その異常内容の詳細表示をする第２の表示画面を表示可能とする構成とした。
【０００７】
請求項１記載の発明によれば、防災受信機の表示部に複数回の試験結果が画面により表示され、試験結果を確認する場合には第１の表示画面により異常の有無が確認でき、異常がある場合には第２の表示画面により異常内容の詳細が確認できるので、過去複数回の試験結果の確認が容易となる。
【００１０】
請求項２記載の発明は、請求項１に記載の防災受信機において、第２の表示画面には、試験結果の詳細が一覧表示される構成とした。
【００１１】
請求項２記載の発明によれば、試験結果の詳細が一覧表示されるので、過去複数回の試験結果の異常の詳細内容を表示することができ、さらに確認が容易となる。
【００１２】
請求項３記載の発明は、請求項１または２に記載の防災受信機において、第２の表示画面に試験項目に応じた第１の選択手段を設け、第１の選択手段により選択された試験項目に該当する試験結果の詳細のみが一覧表示される構成とした。
【００１３】
請求項３に記載の発明によれば、試験項目毎に試験結果の詳細が一覧表示されるので、試験項目毎に試験結果の確認ができる。
【００１４】
請求項４記載の発明は、請求項１ないし３に記載の防災受信機において、第１の表示画面または第２の表示画面に被試験対象に応じた第２の選択手段を設け、第２の選択手段により選択された被試験対象に該当する試験結果の詳細履歴が一覧表示される構成とした。
【００１５】
請求項４に記載の発明によれば、被試験対象に応じて試験結果の詳細の履歴が一覧表示されるので、被試験対象毎に過去の試験結果の詳細の履歴が確認できる。
【００１６】
請求項５記載の発明は、請求項１ないし４に記載の防災受信機において、試験結果、試験結果の詳細、試験結果の詳細履歴が印字部により印字可能である構成とした。
【００１７】
請求項５記載の発明によれば、試験結果、試験結果の詳細、試験結果の詳細履歴を後日においても印字することができる。
【００１８】
【発明の実施の形態】
発明の実施の形態を実施例に基づき図面を参照して説明する。
本発明のシステム構成を図１に示す。
防災システムは防災受信機１、伝送線２、中継器３、火災感知器４、ガス漏れ検知器５、防排煙設備６、地区ベル７などの各種端末機器などから構成されている。
【００１９】
防災受信機１は伝送線２を介して複数の中継器３と接続され、火災感知器４やガス漏れ検知器５からの信号を受信することにより火災やガス漏れの監視を行い、イベント発生時にはそれに応じた表示や警報を行うとともに、防排煙設備６や地区ベル７などの各種制御機器を制御する。
伝送線２を介して防災受信機１に接続された中継器３には、複数の火災感知器４、ガス漏れ検知器５、防火戸や防火シャッタなどの防排煙設備６、地区ベル７が接続されている。
【００２０】
また防災受信機にはタッチパネル式の液晶ディスプレイ（ＬＣＤ）１１、ＬＥＤなどで構成された複数の表示灯１２、各種操作（連動停止、火災復旧など）を行う複数のスイッチ１３、警報の鳴動を行うスピーカー１４、印字出力を行うプリンタ１５、停電時に電源供給を行う予備電源１６が設けられている。
【００２１】
本発明の防災受信機のブロック図を図２に示す。
防災受信機１ではＣＰＵからなる処理部２１が、ＲＯＭ、ＲＡＭからなる記憶部２２に記憶された処理プログラムやデータに基づき、防災システム全体の制御を行う。またＲＡＭからなる試験結果記憶部２３は自動試験または手動試験の試験結果を記憶する。この試験結果記憶部２３は記憶部２２に使用されているＲＡＭと同じものを使用しても、試験結果記憶部２３専用のＲＡＭを使用してもよい。
【００２２】
また防災受信機１にはＬＣＤ１１や表示灯１２からなり、各種情報を表示する表示部２４、タッチパネル式のＬＣＤ１１や各種操作（連動停止、火災復旧など）を行うスイッチ１３からなる操作部２５、警報の鳴動を行うスピーカー１４からなる音響部２６、印字出力を行うプリンタ１５からなる印字部２７が設けられている。なお、操作部２５はタッチパネルに限らず、マウスやキーボードなどの入力デバイスにより操作するようにしても良い。
さらに接続部２８が設けられており、伝送線２を介して中継器３が接続される。
【００２３】
本発明の表示部における画面表示を説明する。
図３は防災受信機１のタッチパネル式のＬＣＤ１１に表示される画面一覧表示画面３１であり、画面一覧表示画面３１はメイン画面３２、サブ画面３３、タイトル部３４、タブ部３５から構成される。
後術するスイッチ操作や選択操作などはＬＣＤ１１をタッチすることにより行うことができる。
【００２４】
メイン画面３２は各画面の階層構造を示すように構成され、それぞれがスイッチとなっている。各スイッチを操作することによりその画面にジャンプすることが出来る。試験結果を表示させるスイッチとして試験結果スイッチ３６が設けられている。画面一覧表示画面３１は３頁で構成され、頁間を移動するには画面中央の上下に設けられた頁移動スイッチ３７により次ページ（前ページ）を表示する。
【００２５】
サブ画面３３には各種ガイダンスを表示するほか、印字出力を停止する印字停止スイッチ３８ａ、画面を消去する画面消去スイッチ３８ｂが設けられている。
タイトル部３４には表示されている画面の名称、日時が表示される。
【００２６】
図３に示すような一覧表示画面３１において、画面下部に６つに分けられたタブ３５があり、このタブを操作することにより「警報」「異常／故障」「防排煙制御」「連動停止」「訓練」「画面一覧」の各画面へ切り替えられる。
なお、画面一覧表示画面３１以外の各画面に関する説明は省略する。また後術する各画面においてタイトル部、タブ部の機能は同一であるのでそれぞれの画面におけるタイトル部、タブ部の説明を省略する。
【００２７】
画面一覧表示画面３１において試験結果スイッチ３６を操作すると、図４に示す試験結果画面（第１の表示画面）４１が表示される。
【００２８】
なお、自動試験とは電源の投入時、または所定期間（例えば１週間に１回）に防災受信機１が自動的に行う試験のことをいい、手動試験（自己診断試験とも言う）とは、操作者の操作により行われる自動試験と同様の内容の試験である。このときに行われる試験の内容としては火災表示試験、電源等試験、電路試験などがある。
【００２９】
火災表示等試験は、防災受信機１に設けられた各種表示灯１２を点灯させたり、音響装置１４を鳴動させることにより、実際にイベントが発生した場合に火災表示等が可能かどうかを試験するものである。
電源等試験は、防災受信機１に設けられた予備電源１６が正常かどうかを試験するものである。
電路試験は、防災受信機１と中継器３または火災感知器４などとを接続する伝送線２に断線や短絡などの異常がないかを試験するものである。
感知器試験は、火災感知器４に故障や異常がないかを試験するものである。
その他試験は、防災システムにおいて必要な試験をシステムに応じて設定された内容に基づいて行う試験である。
なお試験の内容は上述のものに限られず、必要に応じて変更してもよい。
【００３０】
試験結果画面４１において、メイン画面４２には複数個の試験の結果情報４４が日付順に昇順で表示される。試験結果画面４１には結果情報４４が１０件表示されているが、それ以上の結果情報４４が存在する場合には先頭／最終送りスイッチ４５ａまたは頁送りスイッチ４５ｂにより、所望の結果情報４４を表示することができる。
結果情報４４は番号、日時、試験内容、試験結果から構成される。
【００３１】
またサブ画面４３には試験結果の詳細画面を表示する詳細表示スイッチ４６ａ、被試験対象を選択する被試験対象選択スイッチ４６ｂ（第２の選択手段）、結果情報４４のリスト印字を行うリスト印字スイッチ４７ａ、リスト印字を中止するリスト印字中止スイッチ４７ｂ、リスト印字以外（例えば表示画面全体など）の印字出力を停止する印字停止スイッチ４７ｃ、前画面に戻る戻りスイッチ４７ｄが設けられている。
試験結果画面４１において、いずれかの結果情報４４を選択し、その後詳細表示スイッチ４６ａを操作すると、図５に示す試験結果詳細画面５１（第２の表示画面）が表示される。
【００３２】
試験結果詳細画面５１において、メイン画面５２には複数個の試験結果の詳細情報５４が日付順に昇順で表示される。ここでは詳細情報５４が７件表示されているが、それ以上の詳細情報５４が存在する場合には先頭／最終送りスイッチ５５ａまたは頁送りスイッチ５５ｂにより、所望の詳細情報５４を表示することができる。
詳細情報５４は番号、日時、試験対象箇所または場所、試験または端末機器等の名称、試験結果から構成される。
【００３３】
またサブ画面５３には被試験対象を選択する被試験対象選択スイッチ５６、詳細情報５４のリスト印字を行うリスト印字スイッチ５７ａ、リスト印字を中止するリスト印字中止スイッチ５７ｂ、リスト印字以外（例えば表示画面全体など）の印字出力を停止する印字停止スイッチ５７ｃ、前画面に戻る戻りスイッチ５７ｄが設けられている。
【００３４】
図６に第２の表示画面の第２実施例である試験結果詳細画面６１を示す。試験結果詳細画面５１との違いは試験項目毎に第１の選択手段が設けられ、選択された試験項目に該当する試験結果の詳細のみが表示されるようになっている点である。
【００３５】
試験結果詳細画面６１において、メイン画面６２には複数の試験結果の詳細情報６４が日付順に昇順で表示される。ここでは詳細情報６４が存在しない状態、すなわち異常が１件も発生していない状態を示す。
詳細情報６４が存在していない場合、先頭／最終送りスイッチ６５ａまたは頁送りスイッチ６５ｂは操作できないようになっている。ここでは点線で表示することにより操作不能としているが、表示色を変更したり、薄く表示するようにしてもよい。
【００３６】
また複数の詳細情報６４が存在する場合には先頭／最終送りスイッチ６５ａまたは頁送りスイッチ６５ｂにより、所望の詳細情報６４を表示することができる。
詳細情報６４は番号、日時、試験対象箇所または場所、試験または端末機器等の名称、試験結果から構成される。
【００３７】
サブ画面６３には火災表示等試験スイッチ６６ａ、電源等試験スイッチ６６ｂ、電路試験スイッチ６６ｃ、感知器試験スイッチ６６ｄ、その他試験スイッチ６６ｅが設けられている。それぞれのスイッチ６６ａ〜６６ｅを操作すると、メイン画面６２にそれぞれのスイッチ操作における試験内容に対応した試験結果の詳細情報６４のみが表示されるようになっている。すなわちスイッチ６６ａ〜６６ｅが第１の選択手段を構成している。
【００３８】
さらにサブ画面６３には被試験対象を選択する被試験対象選択スイッチ６７、詳細情報６４のリスト印字を行うリスト印字スイッチ６８ａ、リスト印字を中止するリスト印字中止スイッチ６８ｂ、リスト印字以外（例えば表示画面全体など）の印字出力を停止する印字停止スイッチ６８ｃ、前画面に戻る戻りスイッチ６８ｄが設けられている。
【００３９】
なお試験結果詳細画面６１が表示されたときには火災表示等試験スイッチ６６ａが操作されたのと同じ状態、すなわち火災表示等試験に該当する詳細情報６４のみが表示される。図６におけるメイン画面６２は火災表示等試験において詳細情報６４が存在しない状態、すなわち異常が１件も発生していない状態である。
【００４０】
図７は第２の選択手段を示す図であり、図７（ａ）はサブ画面における被試験端末の第２の選択手段の第１実施例を示し、図７（ｂ）はサブ画面における被試験端末の第２の選択手段の第２実施例を示す。
【００４１】
図７（ａ）における選択画面７１は試験結果画面４１における被試験対象選択スイッチ４６ｂ、試験結果詳細画面５１における被試験対象選択スイッチ５６、試験結果詳細画面６１における被試験対象選択スイッチ６７のいずれかの操作により該当する画面のサブ画面４３、５３、６３に表示される。選択画面７１はアドレス指定スイッチ７２ａ、電池１選択スイッチ７２ｂ、電池２選択スイッチ７２ｃ、印字停止スイッチ７３ａ、戻りスイッチ７３ｂからなる。
アドレス指定スイッチ７２ａ、電池１選択スイッチ７２ｂ、電池２選択スイッチ７２ｃのいずれかの操作により、被試験対象の選択を行う。
【００４２】
選択画面７１においてアドレスの付与された端末機器、例えば火災感知器４についての試験結果の詳細の履歴を確認する場合、アドレス指定スイッチ７２ａを操作すると、図７（ｂ）に示すアドレス指定画面７４が表示される。
【００４３】
電池１スイッチ７２ｂまたは電池２スイッチ７２ｃを操作すると該当する試験結果の詳細の履歴が図８に示す被試験対象別試験結果詳細画面８１が表示される。
戻りスイッチ７３ｃを操作すると選択画面７１をクリアして前に表示されていた画面に戻る。
【００４４】
アドレス指定画面７４はアドレスを表示するアドレス表示部７５、アドレスの入力を行うテンキー部７６、アドレス指定を決定する決定スイッチ７７ａ、アドレス入力をクリアするクリアスイッチ７７ｂ、印字停止スイッチ７７ｃ、戻りスイッチ７７ｄから構成される。
【００４５】
アドレス指定画面７４においてテンキー部７６から試験結果の詳細を確認したい火災感知器４のアドレスを入力すると、入力したアドレスがアドレス表示部７５に表示される。ここで決定スイッチ７７ａを操作するとアドレス指定された端末機器に該当する試験結果の詳細の履歴が図８に示す被試験対象別試験結果詳細画面８１が表示される。
クリアスイッチ７７ｂを操作すると、入力されたアドレスがクリアされ、再度アドレス指定操作を受け付ける状態となる。戻りスイッチ７７ｄを操作すると全ての操作をクリアして選択画面７１に戻る。
このように電池１スイッチ７２ｂ、電池２スイッチ７２ｃ、アドレス指定スイッチ７２ａ、決定スイッチ７７ａが第２の選択手段を構成している。
【００４６】
図８に第２の表示画面の第３実施例である被試験対象別試験結果詳細画面８１を示す。試験結果詳細画面５１との違いは被試験対象別に選択された試験項目に該当する試験結果の詳細のみが表示されるようになっている点である。
【００４７】
被試験対象別試験結果詳細画面８１において、メイン画面８２には複数個の試験結果の詳細情報８４が日付順に昇順で表示される。ここでは図７（ａ）において電池１スイッチ７２ｂが操作され、被試験対象である電池１に該当する詳細情報８４が７件表示されているが、それ以上の詳細情報８４が存在する場合には先頭／最終送りスイッチ８５ａまたは頁送りスイッチ８５ｂにより、所望の詳細情報８４を表示することができる。
詳細情報８４は番号、日時、試験対象箇所または場所、試験または端末機器等の名称、試験結果から構成される。
【００４８】
またサブ画面８３には詳細情報８４のリスト印字を行うリスト印字スイッチ８６ａ、リスト印字を中止するリスト印字中止スイッチ８６ｂ、リスト印字以外の印字出力を停止する印字停止スイッチ８６ｃ、前画面に戻る戻りスイッチ８６ｄが設けられている。
【００４９】
図９に印字出力９１の一例を示す。例えば図４に示す試験履歴画面４１において、任意の結果情報４４（ここでは０４）を選択し、リスト印字スイッチ４７ａを操作すると、図９に示す印字出力９１が防災受信機１のプリンタ１５から出力される。なお、印字出力９１は１回分の試験結果を報告するものである。印字出力９１はタイトル部９２、火災表示等試験項目部９３、電源等試験項目部９４、電路試験項目部９５、感知器試験項目部９６、その他試験項目部９７から構成され、さらにそれぞれの試験項目部９３〜９７について試験内容と試験結果（正常、異常あり）が印字される。
【００５０】
試験結果に異常がある場合には、さらにその異常内容について詳細な印字を行う。ここでは電源等試験項目部９４に２件の異常９４ａ、９４ｂが、電路試験項目部９５に５件の異常９５ａ〜９５ｅがあったことが確認できる。ここで印字される異常９４ａ、９４ｂ、９５ａ〜９５ｅの内容は名称、具体的な異常内容、アドレス、設置場所、発生日時である。
またリスト印字中止スイッチ４７ｂを操作することによりリスト印字を中止することができる。
【００５１】
ここでは試験結果画面４１の場合について説明したが、試験結果詳細画面５１でも同様の操作により印字出力を行うことができる。
また試験結果詳細画面６１でリスト印字スイッチ６８ａの操作によりリスト印字を行った場合でも、全ての試験項目に関する試験結果の詳細結果６４が印字出力される。
なお、リスト印字される試験結果は上述の内容に限られず、画面に表示されているもののみをリスト印字するようにしてもよい。
【００５２】
【発明の効果】
以上説明したように、請求項１ないし４記載の発明によれば、自動試験または手動試験の試験結果を表示部で表示できるので、過去複数回の試験結果の確認が容易となる。
【００５３】
請求項５に記載の発明によれば、試験結果を印字可能であるので、過去の試験結果を印字出力により確認できる。
【図面の簡単な説明】
【図１】本発明に係わる防災受信機のシステム構成図である。
【図２】本発明に係わる防災受信機のブロック図である。
【図３】本発明に係わる防災受信機の画面一覧表示画面である。
【図４】本発明に係わる防災受信機の試験結果画面である。
【図５】本発明に係わる防災受信機の試験結果詳細画面である。
【図６】本発明に係わる防災受信機の試験結果詳細画面の別実施例である。
【図７】本発明に係わる防災受信機の選択画面である。
【図８】本発明に係わる防災受信機の試験結果詳細画面の別実施例である。
【図９】本発明に係わる防災受信機の印字出力の一例である。
【符号の説明】
１          防災受信機
２          伝送線
３          中継器
４          火災感知器
１１          ＬＣＤディスプレイ
１５          プリンタ
２１          処理部
２２          記憶部
２３          試験結果記憶部
２７          印字部
３１          画面一覧表示画面
３２          メイン画面
３３          サブ画面
４１          試験結果画面（第１の表示画面）
４２          メイン画面
４３          サブ画面
４４          結果情報
５１          試験結果詳細画面（第２の表示画面）
５２          メイン画面
５３          サブ画面
５４          詳細情報
６１          試験結果詳細画面（第２の表示画面）
６２          メイン画面
６３          サブ画面
６４          詳細情報
７１          選択画面
７４          アドレス指定画面
８１          被試験対象別試験結果詳細画面（第２の表示画面）
８２          メイン画面
８３          サブ画面
８４          詳細情報
９１          印字出力
【図１】
0003896281.tif 000002
【図２】
0003896281.tif 000003
【図３】
0003896281.tif 000004
【図４】
0003896281.tif 000005
【図５】
0003896281.tif 000006
【図６】
0003896281.tif 000007
【図７】
0003896281.tif 000008
【図８】
0003896281.tif 000009
【図９】
0003896281.tif 000010